(57)【要約】【課題】両磁気検出部材４４を樹脂（溶融樹脂）でインサート成形する際に、両磁気検出部材の演算部の厚さ方向に加わる樹脂（溶融樹脂）の流動によるストレスに起因する両磁気検出部材の位置精度の低下を防止する。【解決手段】回転角検出装置４０は、センシング部４５と演算部４７とを備え、センシング部４５と演算部４７とがＬ字形状をなしている磁気検出部材４４を２個使用する。両磁気検出部材４４がセンシング部４５を互いに重ねた状態で向かい合わせに配置された状態で、両磁気検出部材４４が樹脂でモールドされる。両磁気検出部材４４の演算部４７の厚さ方向の少なくとも一側面を金型６０の支持型８８で支持した状態で、両磁気検出部材４４を樹脂でインサート成形を行う。【選択図】図９
2011102769.tif 000002
【特許請求の範囲】
【請求項１】
回転側部材の回転にともなう磁気の変化を検出するセンシング部と、そのセンシング部の出力信号に基づいた演算を行って磁気の変化に応じた信号を出力する演算部とを備え、前記センシング部と前記演算部とがＬ字形状をなしている磁気検出部材を２個使用し、
前記両磁気検出部材が前記センシング部を互いに重ねた状態で向かい合わせに配置された状態で、前記両磁気検出部材が樹脂でモールドされている
回転角検出装置の製造方法であって、
前記両磁気検出部材の演算部の厚さ方向の少なくとも一側面を金型で支持した状態で、前記両磁気検出部材を樹脂でインサート成形を行うことを特徴とする回転角検出装置の製造方法。
【請求項２】
請求項１に記載の回転角検出装置の製造方法であって、
前記両磁気検出部材のリード端子に取付ターミナルが連結され、前記取付ターミナルを前記金型で支持した状態で前記インサート成形を行うことを特徴とする回転角検出装置の製造方法。
【請求項３】
請求項１又は２に記載の回転角検出装置の製造方法であって、
前記両磁気検出部材の演算部の厚さ方向の両側面を前記金型で支持した状態で前記インサート成形を行うことを特徴とする回転角検出装置の製造方法。
【請求項４】
請求項１〜３のいずれか１つに記載の回転角検出装置の製造方法であって、
前記金型内に射出された樹脂が固化する前に、前記両磁気検出部材の演算部を支持する支持型をコアバックさせることを特徴とする回転角検出装置の製造方法。
【請求項５】
請求項１〜４のいずれか１つに記載の回転角検出装置の製造方法であって、
前記金型内に樹脂を射出するに際し、前記樹脂が前記両磁気検出部材のセンシング部から離れた位置から両磁気検出部材の演算部の長手方向に沿って充填されることを特徴とする回転角検出装置の製造方法。
【請求項６】
請求項１〜５のいずれか１つに記載の回転角検出装置の製造方法であって、
前記樹脂として、成形樹脂材料に発泡剤が添加されてなる発泡樹脂を用いることを特徴とする回転角検出装置の製造方法。
【発明の詳細な説明】
【技術分野】
【０００１】
本発明は、回転角検出装置の製造方法に関する。
【背景技術】
【０００２】
回転角検出装置の従来例を述べる。図２５は回転角検出装置を示す断面図である。
図２５に示すように、回転角検出装置１４０は、２個の磁気検出部材１４２と、両磁気検出部材１４２をモールドすなわち埋設した樹脂モールド部１５２とを備えている。磁気検出部材１４２は、磁気の変化を検出するセンシング部１４５と、センシング部１４５の出力信号に基づいた演算を行って磁気の変化に応じた信号を出力する演算部１４６とを備えている。また、センシング部１４５と演算部１４６とはＬ字形状をなしている。両磁気検出部材１４２がセンシング部１４５を互いに重ねた状態で向かい合わせに配置されている（例えば、特許文献１参照）。
【先行技術文献】
【特許文献】
【０００３】
【特許文献１】特開２００８−８７５４号公報
【発明の概要】
【発明が解決しようとする課題】
【０００４】
前記従来例の回転角検出装置１４０によると、両磁気検出部材１４２を樹脂でインサート成形する際に、両磁気検出部材１４２の演算部１４６を金型で支持する構成が採られていなかった。したがって、両磁気検出部材１４２の演算部１４６の厚さ方向（図２５において左右方向）に、樹脂（溶融樹脂）の流動によるストレスが加わることによって、両磁気検出部材１４２の位置がずれやすく、両磁気検出部材１４２の位置精度が低下するという問題があった。このことは、回転角検出装置１４０の磁気検出特性の低下を招くおそれがあることから好ましくない。
本発明が解決しようとする課題は、両磁気検出部材を樹脂でインサート成形する際に、両磁気検出部材の演算部の厚さ方向に加わる樹脂の流動によるストレスに起因する両磁気検出部材の位置精度の低下を防止することのできる回転角検出装置の製造方法を提供することにある。
【課題を解決するための手段】
【０００５】
前記課題は、特許請求の範囲に記載された構成を要旨とする回転角検出装置の製造方法により解決することができる。
すなわち、請求項１に記載された回転角検出装置の製造方法によると、両磁気検出部材の演算部の厚さ方向の少なくとも一側面を金型で支持した状態で、両磁気検出部材を樹脂でインサート成形を行う。したがって、両磁気検出部材を樹脂でインサート成形する際に、両磁気検出部材の演算部の厚さ方向に加わる樹脂の流動によるストレスに起因する両磁気検出部材の位置ずれを防止し、その位置精度の低下を防止することができる。ひいては、回転角検出装置の磁気検出特性の低下を防止することができる。
【０００６】
また、請求項２に記載された回転角検出装置の製造方法によると、両磁気検出部材のリード端子に取付ターミナルが連結され、取付ターミナルを金型で支持した状態でインサート成形を行う。したがって、取付ターミナルの位置精度を向上することができる。
【０００７】
また、請求項３に記載された回転角検出装置の製造方法によると、両磁気検出部材の演算部の厚さ方向の両側面を金型で支持した状態でインサート成形を行う。したがって、両磁気検出部材を樹脂でインサート成形する際に、両磁気検出部材の演算部の厚さ方向の両側面に加わる樹脂の流動によるストレスに起因する両磁気検出部材の位置ずれを防止することができる。
【０００８】
また、請求項４に記載された回転角検出装置の製造方法によると、金型内に射出された樹脂が固化する前に、両磁気検出部材の演算部を支持する支持型をコアバックさせることで、支持型による空洞部が形成され、その空洞部に樹脂（溶融樹脂）が流入することによって、支持型で支持されていた両磁気検出部材の演算部の当該側面を樹脂で覆うことができる。
【０００９】
また、請求項５に記載された回転角検出装置の製造方法によると、金型内に樹脂を射出するに際し、樹脂が両磁気検出部材のセンシング部から離れた位置から両磁気検出部材の演算部の長手方向に沿って充填される。したがって、樹脂（溶融樹脂）の流動によって両磁気検出部材のセンシング部に加わるストレスを低減することができる。さらに、樹脂が両磁気検出部材の演算部の長手方向に沿って充填されることで、樹脂（溶融樹脂）の流動によって両磁気検出部材の演算部の厚さ方向に加わるストレスを低減することができる。
【００１０】
また、請求項６に記載された回転角検出装置の製造方法によると、樹脂として、成形樹脂材料に発泡剤が添加されてなる発泡樹脂を用いることによって、樹脂（溶融樹脂）の流動圧を下げることができ、両磁気検出部材のセンシング部及び演算部に加わるストレスを低減することができる。
【図面の簡単な説明】
【００１１】
【図１】実施例１に係るスロットル制御装置を示す断面図である。
【図２】スロットルギヤの周辺部を示す断面図である。
【図３】センサカバーを示す斜視図である。
【図４】回転角検出装置を示す正面図である。
【図５】回転角検出装置を示す平面図である。
【図６】回転角検出装置を示す平断面図である。
【図７】配線ターミナル付き回転角検出装置を示す正面図である。
【図８】配線ターミナルと回転角検出装置を分解して示す斜視図である。
【図９】回転角検出装置の製造に係る金型を示す断面図である。
【図１０】金型と磁気検出部材とを分解して示す断面図である。
【図１１】図１０のXI−XI線矢視断面図である。
【図１２】支持型のコアバック状態を示す断面図である。
【図１３】実施例１の変更例１に係る金型を示す断面図である。
【図１４】支持型のコアバック状態を示す断面図である。
【図１５】実施例１の変更例２に係る金型を示す断面図である。
【図１６】支持型のコアバック状態を示す断面図である。
【図１７】実施例２に係る金型を示す断面図である。
【図１８】支持型のコアバック状態を示す断面図である。
【図１９】回転角検出装置を示す正面図である。
【図２０】回転角検出装置を示す平断面図である。
【図２１】実施例２の変更例１に係る金型を示す断面図である。
【図２２】支持型のコアバック状態を示す断面図である。
【図２３】実施例２の変更例２に係る金型を示す断面図である。
【図２４】支持型のコアバック状態を示す断面図である。
【図２５】従来例に係る回転角検出装置を示す断面図である。
【発明を実施するための形態】
【００１２】
以下、本発明を実施するための形態について図面を用いて説明する。
【実施例】
【００１３】
［実施例１］
本発明の実施例１を説明する。本実施例は、自動車等の車両に搭載される電子制御式のスロットル制御装置におけるスロットルバルブの回転角すなわち開度を検出するスロットルポジションセンサとして用いられる回転角検出装置について例示する。説明の都合上、スロットル制御装置から説明する。図１はスロットル制御装置を示す断面図である。なお、スロットル制御装置については、図１における上下左右を基準として説明を行う。
【００１４】
図１に示すように、スロットル制御装置１０は、スロットルボデー１２を備えている。スロットルボデー１２は、例えば樹脂製で、ボア壁部１４とモータハウジング部１７とを一体に有している。ボア壁部１４は、図１において紙面表裏方向に延びる中空円筒状に形成されている。ボア壁部１４内に、吸気通路としてのボア１３が形成されている。ボア壁部１４の上流側がエアクリーナ（図示省略）と接続され、その下流側がインテークマニホールド（図示省略）と接続される。また、ボア壁部１４には、ボア１３を径方向すなわち左右方向に横切る金属製のスロットルシャフト１６が設けられている。スロットルシャフト１６は、ボア壁部１４の左右両側部に設けられた軸受部１５に対してそれぞれ軸受（符号省略）を介して回転可能に支持されている。また、スロットルシャフト１６には、円板状をなすバタフライバルブ式のスロットルバルブ１８がスクリュ１８ｓにより締着されている。スロットルバルブ１８は、スロットルシャフト１６と一体で回転することにより、ボア１３を開閉する。
【００１５】
前記スロットルシャフト１６の右端部は、右側の軸受部１５を貫通している。そして、スロットルシャフト１６の右端部には、スロットルギヤ２２が同軸上に回り止め状態で取付けられている。スロットルギヤ２２は、例えば樹脂製で、二重円筒状をなす内筒部２２ｅと外筒部２２ｆとを有している。外筒部２２ｆの外周部には、扇形のギヤ部２２ｗが形成されている。また、スロットルギヤ２２と、スロットルギヤ２２に対面する前記スロットルボデー１２の右側面との間には、コイルスプリングからなるバックスプリング２６が設けられている。バックスプリング２６は、スロットルギヤ２２を常に閉じる方向へ付勢している。なお、バックスプリング２６は、スロットルギヤ２２の外筒部２２ｆ及び右側の軸受部１５に嵌合されている。
【００１６】
前記スロットルボデー１２のモータハウジング部１７は、右方に開口しかつ前記スロットルシャフト１６に平行する有底円筒状に形成されている。モータハウジング部１７内には、例えばＤＣモータ等からなる駆動モータ２８が設置されている。駆動モータ２８は、自動車等のアクセルペダルの踏み込み量等に基づいて、エンジンコントロールユニットＥＣＵ（図示省略）から出力される信号により出力回転軸（図示省略）が回転駆動される。また、駆動モータ２８の出力回転軸は図１において右方に突出されており、その出力回転軸にピニオンギヤ２９が設けられている。また、スロットルボデー１２の右側面には、スロットルシャフト１６と平行するカウンタシャフト２３が設けられている。カウンタシャフト２３には、カウンタギヤ２４が回転可能に支持されている。カウンタギヤ２４はギヤ径の異なる二つのギヤ部２４ａ，２４ｂを有している。大径側のギヤ部２４ａは、前記ピニオンギヤ２９と噛合されている。また、小径側のギヤ部２４ｂは、前記スロットルギヤ２２（詳しくはギヤ部２２ｗ）と噛合されている。このため、駆動モータ２８の回転駆動力は、ピニオンギヤ２９、カウンタギヤ２４、スロットルギヤ２２を介してスロットルシャフト１６に伝達される。これにより、スロットルバルブ１８がボア１３内で回転すなわち開閉されることで、ボア１３を流れる吸入空気量が調節される。なお、ピニオンギヤ２９、カウンタギヤ２４、スロットルギヤ２２により減速ギヤ機構が構成されている。
【００１７】
前記スロットルギヤ２２の内筒部２２ｅの内周部には、円筒状をなすヨーク４３、及び、ヨーク４３の内側に配置された一対の永久磁石４１が一体的に設けられている（図２参照）。また、一対の永久磁石４１は、例えばフェライト磁石からなり、相互間に略平行な磁界が発生するように平行着磁されている。また、ヨーク４３は、磁性材料からなり、内筒部２２ｅに埋設されている。なお、図２はスロットルギヤの周辺部を示す断面図である。
【００１８】
図１に示すように、前記スロットルボデー１２の右側面には、前記減速ギヤ機構（ピニオンギヤ２９、カウンタギヤ２４及びスロットルギヤ２２）等を覆うカバー３０が取付けられている。カバー３０（以下、「センサカバー」という）は、例えば樹脂製で、スロットルギヤ２２の回転角すなわちスロットルバルブ１８の開度を検出するための回転角検出装置４０がインサート成形により一体化されている（図３参照）。なお、図３はセンサカバーを示す斜視図である。
【００１９】
前記回転角検出装置４０は、円柱状をなしており、その基部が前記センサカバー３０の樹脂部であるカバー本体３１にモールドすなわち埋設され、その先端部がカバー本体３１の内側面に露出されている（図２及び図３参照）。回転角検出装置４０の先端部は、前記スロットルギヤ２２の内筒部２２ｅ内に対して、同軸状にかつ遊嵌状に挿入されている（図２参照）。したがって、回転角検出装置４０は、スロットルギヤ２２の永久磁石４１及びヨーク４３に対して非接触の関係をなしている。なお、スロットルギヤ２２は本明細書でいう「回転側部材」に相当する。また、センサカバー３０は本明細書でいう「固定側部材」に相当する。
【００２０】
次に、回転角検出装置４０を説明する。図４は回転角検出装置を示す正面図、図５は同じく平面図、図６は同じく平断面図である。なお、説明の都合上、回転角検出装置４０については、先端部側（図５及び図６において下側）を前側とし、基部側（図５及び図６において上側）を後側として説明を行う。
図６に示すように、回転角検出装置４０は、２個の磁気検出部材４４と、両磁気検出部材４４をモールドすなわち埋設した円柱状の樹脂モールド部５２とを備えている。また、回転角検出装置４０は、前記スロットルギヤ２２（図２参照）の回転にともなう磁気の変化を検出するもので、フェイルセーフを考慮して磁気検出部材４４を２個使用し、仮にどちらかの磁気検出部材４４が故障したとしても残りの磁気検出部材４４で検出機能を確保できるように構成されている。
【００２１】
図６に示すように、磁気検出部材４４は、例えばＭＲ素子と呼ばれる磁気抵抗素子を備えたセンサＩＣであって、センシング部４５に複数の連結端子４６を介して演算部４７が接続されている。センシング部４５は、樹脂製の直方体状のピース４５ａに磁気抵抗素子からなるチップ４５ｂを内蔵している。また、演算部４７は、樹脂製の直方体状のピース４７ａに図示しない半導体集積回路（ＩＣ）を内蔵している。センシング部４５と演算部４７とは、センシング部４５の短手方向の一端面と演算部４７の長手方向の一端面との間に架設された複数の連結端子４６によって電気的に接続されている。また、複数の連結端子４６はＬ字状に折り曲げられている。これによって、センシング部４５と演算部４７とがＬ字形状をなしている。また、演算部４７の長手方向の他端部（後端面）には、複数（例えば、３本）のリード端子４８の一端部（基端部）が接続されている。なお、説明の都合上、磁気検出部材４４において、センシング部４５と演算部４７とのなす内角側を内側といい、その外角側を外側という。また、演算部４７の長手方向と同方向を磁気検出部材４４の長手方向といい、演算部４７の短手方向（図６において紙面表裏方向）と同方向を磁気検出部材４４の幅方向という。
【００２２】
前記センシング部４５のチップ４５ｂは、金属製の長細板状の支持板４５ｃ上の中央部に設置されている。支持板４５ｃは、その長手方向をセンシング部４５の幅方向（図６において紙面表裏方向）に向けた状態で前記ピース４５ａに埋設されている。支持板４５ｃの長手方向の両端部は、ピース４５ａの幅方向の両側面から突片状に突出されている（図４及び図５参照）。また、センシング部４５は、その厚さ方向（図６において上下方向）の両側面が前記スロットルギヤ２２の軸線に対して直角をなすように配置されるとともに、チップ４５ｂが前記樹脂モールド部５２の軸線上に配置されている。また、前記スロットルボデー１２にセンサカバー３０が取付けられた状態（図１参照）では、センシング部４５のチップ４５ｂが前記スロットルギヤ２２の一対の永久磁石４１の間においてスロットルシャフト１６の軸線上に位置されるようになっている。これにより、センシング部４５（詳しくはチップ４５ｂ）は、一対の永久磁石４１の間に発生する磁気の変化すなわち磁界の方向を検出可能となっている。
【００２３】
前記演算部４７（詳しくは半導体集積回路（ＩＣ））には、前記センシング部４５によって検出された検出結果（出力信号）が連結端子４６を介して出力される。演算部４７は、センシング部４５の出力信号に基づいた演算を行って磁界の方向に応じた信号を出力する。演算部４７の出力した信号に基づいて、前記エンジンコントロールユニットＥＣＵ（図示省略）が前記スロットルギヤ２２の回転角すなわち前記スロットルバルブ１８の開度を検出する。また、演算部４７は、スロットルギヤ２２の回転角に対応するリニアな電圧信号を出力できるようにプログラムされている。
【００２４】
図６に示すように、前記２個の磁気検出部材４４は、左右方向に向かい合わせでかつ前記センシング部４５を互いに前後（図６において上下）に重ねた状態に配置されている。両センシング部４５のチップ４５ｂは、前記樹脂モールド部５２の軸線上において、対向する位置関係をもって配置されている。また、両センシング部４５の支持板４５ｃは、前後方向（図６において上下方向）に整列されている。また、両磁気検出部材４４の演算部４７は、左右方向に所定間隔を隔てて平行状に配置されている。
【００２５】
前記演算部４７の各リード端子４８は、基部と先端部とが段違い状をなすように折り曲げられている。これにより、リード端子４８の先端部（図６において上端部）が外側に片寄せられている。各リード端子４８の先端部の外側には、Ｌ型の取付ターミナル４９の一方の片部（「基端部」という）がそれぞれ溶接等により接続されている。これとともに、両取付ターミナル４９の他方の片部（「先端部」という）が樹脂モールド部５２の後端部から相反方向すなわち外側方に向けて突出されている。
【００２６】
前記樹脂モールド部５２は、樹脂により円柱状に形成されている。樹脂モールド部５２には、前記両磁気検出部材４４（センシング部４５、各連結端子４６、演算部４７及び各リード端子４８）とともに両磁気検出部材４４の各リード端子４８と各取付ターミナル４９との接続部すなわち連結部がモールドすなわち埋設されている。また、両磁気検出部材４４で囲まれる樹脂モールド部５２には空洞部５３が形成されている。空洞部５３は、樹脂モールド部５２の後端面（図６において上端面）に開口する凹所内に形成されている。また、樹脂モールド部５２の樹脂としては、成形樹脂材料に発泡剤が添加されてなる発泡樹脂（化学発泡樹脂）が用いられている。また、成形樹脂材料としては、例えばポリブチレンテレフタレート（ＰＢＴ）樹脂が使用されている。
【００２７】
前記回転角検出装置４０を前記センサカバー３０にインサート成形により一体化する際（図３参照）には、各取付ターミナル４９の先端部にそれぞれ配線ターミナル５４の一端部（基端部）が溶接等により接続される（図７参照）。なお、図７において、配線ターミナル５４（符号、（ａ）を付す）は電源用、配線ターミナル５４（符号、（ｂ）を付す）は接地用、配線ターミナル５４（符号、（ｃ）を付す）及び配線ターミナル５４（符号、（ｄ）を付す）はそれぞれ信号出力用となっている。なお、図７は配線ターミナル付き回転角検出装置を示す正面図、図８は配線ターミナルと回転角検出装置を分解して示す斜視図である。
【００２８】
前記配線ターミナル５４が接続された回転角検出装置（「配線ターミナル付き回転角検出装置」という）４０（図７参照）は、前記センサカバー３０にインサート成形により一体化される（図３参照）。回転角検出装置４０の基部はセンサカバー３０の樹脂部であるカバー本体３１にモールドすなわち埋設され、その先端部はカバー本体３１の内側面に露出される。これとともに、カバー本体３１には、回転角検出装置４０の各取付ターミナル４９と各配線ターミナル５４との連結部、及び、各配線ターミナル５４の先端部（端子部）５４ａを除いた大半の部分が埋設される。各配線ターミナル５４の端子部５４ａ（図７参照）は、カバー本体３１に形成されたコネクタ部５５（図３参照）内に露出される。コネクタ部５５には、前記エンジンコントロールユニットＥＣＵ側の外部コネクタ（図示省略）が接続されるようになっている。これにより、両磁気検出部材４４の演算部４７（図２参照）から出力された信号がエンジンコントロールユニットＥＣＵに入力される。なお、カバー本体３１の内側面に露出された回転角検出装置４０の樹脂モールド部５２の先端部の外表面は、防湿材でコーティングするとよい。また、カバー本体３１は、前記回転角検出装置４０の樹脂モールド部（発泡樹脂）５２における成形樹脂材料と同じ樹脂材料で形成されている。すなわち、カバー本体（別の樹脂）３１の材料としては、例えばポリブチレンテレフタレート（ＰＢＴ）樹脂が使用されている。
【００２９】
次に、前記回転角検出装置４０の製造方法すなわち樹脂モールド部５２の成形方法について説明する。なお、図９は回転角検出装置の製造に係る金型を示す断面図、図１０は金型と磁気検出部材とを分解して示す断面図、図１１は図１０のXI−XI線矢視断面図、図１２は支持型のコアバック状態を示す断面図である。
まず、磁気検出部材４４を発泡樹脂でインサート成形する成形型いわゆる金型を説明する。図１０に示すように、金型６０は、下型６２と上型６４とから構成されている。下型６２は、前記樹脂モールド部５２（図４〜図６参照）の前端面及び外周面を成形する型で、有底円筒状の成形凹部６３を備えている。また、上型６４は、樹脂モールド部５２の後端面及び空洞部５３（図６参照）を成形する型で、下端面すなわち型合わせ面には凸部６５が突出されている。
【００３０】
前記上型６４は、凸部６５の左右両側面に面接触する平板状の左右一対の支持型８８を備えている。両支持型８８は、金型６０の開閉方向すなわち上下方向に伸びており、かつ、上下方向に移動可能に構成されている。両支持型８８は、下動位置では先端面（下端面）が凸部６５の先端面（下端面）と同一平面をなす位置とされる（図９参照）。また、両支持型８８は、上動位置では先端面（下端面）が磁気検出部材４４の演算部４７の上方へ所定量離れた位置に位置される（図１２参照）。また、両支持型８８は、成形開始時において下動位置に進出され、樹脂の射出完了後で固化する前において上動位置に後退すなわちコアバックされるようになっている。
【００３１】
前記下型６２の成形凹部６３の両側壁（磁気検出部材４４の幅方向（図１０において紙面表裏方向）に対応する両側壁）には、Ｌ字状の位置決め部６６が成形凹部６３の軸線を中心として点対称状に設けられている（図１１参照）。図１０に示すように、位置決め部６６は、両磁気検出部材４４のセンシング部４５の支持板４５ｃの両端部と係合可能に形成されている。各位置決め部６６は、前側のセンシング部４５の支持板４５ｃの端部の前側面（図１０において下側面）に当接する水平状の第１段面６６ａと、両センシング部４５の支持板４５ｃの端部の一方（支持板４５ｃの短手方向の一方）の側端面（図６において左端面）に当接する垂直状の第２段面６６ｂと、磁気検出部材４４の支持板４５ｃの長手方向の端面に当接する垂直状の第３段面６６ｃとを有している（図１１参照）。また、下型６２の上端面すなわち型合わせ面には、両取付ターミナル４９の先端部を嵌合する凹部６７が形成されている（図１０参照）。
【００３２】
前記下型６２の成形凹部６３の一側壁（磁気検出部材４４の幅方向に対応する一方の側壁）には、左右一対のゲート６８が設けられている。ゲート６８は、両磁気検出部材４４のリード端子４８の先端部付近における幅方向の側方位置に設定されている（図９参照）。
【００３３】
続いて、前記金型６０を使用して磁気検出部材４４を発泡樹脂でインサート成形する手順を説明する。
金型６０の型開き状態（図１０参照）において、前記下型６２の成形凹部６３内に右側の磁気検出部材４４が配置される。右側の磁気検出部材４４のセンシング部４５の支持板４５ｃの両端部が両位置決め部６６の各第１段面６６ａ、第２段面６６ｂ及び第３段面６６ｃ（図１０及び図１１参照）にそれぞれ当接される。これによって、右側の磁気検出部材４４のセンシング部４５が位置決め状態で支持される（図９参照）。また、右側の磁気検出部材４４の各取付ターミナル４９の先端部が右側の各凹部６７にそれぞれ嵌合されることによって、右側の磁気検出部材４４が位置決め状態に支持される。
【００３４】
そして、下型６２の成形凹部６３内に左側の磁気検出部材４４が右側の磁気検出部材４４と向かい合わせをなすように配置される。左側の磁気検出部材４４のセンシング部４５が右側の磁気検出部材４４のセンシング部４５に積層状に重ねられる。これとともに、左側の磁気検出部材４４のセンシング部４５の支持板４５ｃの両端部が両位置決め部６６の第２段面６６ｂ及び第３段面６６ｃ（図１０及び図１１参照）にそれぞれ当接される。これによって、左側の磁気検出部材４４のセンシング部４５が位置決め状態で支持される（図９参照）。また、左側の磁気検出部材４４の各取付ターミナル４９の先端部が左側の各凹部６７にそれぞれ嵌合されることによって、左側の磁気検出部材４４が位置決め状態に支持される。
【００３５】
上記したように、両磁気検出部材４４が下型６２にセットされた後、金型６０が型締めすなわち下型６２と上型６４が型閉じされる（図９参照）。これにより、下型６２の成形凹部６３の開口端面が上型６４で閉鎖されることにより密閉状のキャビティ７０が形成される。これととともに、両磁気検出部材４４の取付ターミナル４９の先端部が下型６２（詳しくは各凹部６７の底面）と上型６４と間に挟まれた状態で支持される。このように、両磁気検出部材４４の各取付ターミナル４９の先端部を金型６０で保持することにより、インサート成形時の発泡樹脂（溶融樹脂）の流動による両磁気検出部材４４の位置ずれを防止することができる。
【００３６】
前記金型６０の型締め状態（図９参照）において、上型６４の両支持型８８は下動位置にあって、両支持型８８の外側面が両磁気検出部材４４の演算部４７の内側面にそれぞれ面接触状に当接されている。これによって、両磁気検出部材４４の演算部４７の厚さ方向（図９において左右方向）の一側面すなわち内側面が両支持型８８によってそれぞれ支持される。
【００３７】
その後、下型６２の両ゲート６８からキャビティ７０内に発泡樹脂（溶融樹脂）が射出されることにより、樹脂モールド部５２が成形される。このとき、発泡樹脂（溶融樹脂）が両磁気検出部材４４の演算部４７の内外両側面に沿ってほぼ均等に流動されることで、その流動によって磁気検出部材４４に加わる応力が均等化される。
【００３８】
また、図１２に示すように、前記キャビティ７０内に対する樹脂５２の射出完了後において、金型６０内に射出された樹脂が固化する前に、両支持型８８が上動位置にコアバックされる。この両支持型８８のコアバックにより空洞部９０が形成され、その空洞部９０に樹脂（溶融樹脂）が流入する。これによって、両支持型８８で支持された両磁気検出部材４４の演算部４７の内側面が樹脂で覆われることになる（図６参照）。なお、図６において、両磁気検出部材４４の演算部４７の内側面を覆う樹脂部に符号、５２ａが付されている。
また、上型６４の凸部６５によって樹脂モールド部５２に空洞部５３が形成される（図６参照）。また、樹脂モールド部５２の成形後の冷却により発泡樹脂（溶融樹脂）が固化した後、金型６０が型開きされて、下型６２から製品すなわち回転角検出装置４０が取出される。
【００３９】
前記した回転角検出装置４０の製造方法すなわち樹脂モールド部５２の成形方法によると、両磁気検出部材４４の演算部４７の厚さ方向の少なくとも一側面に相当する内側面を金型６０の両支持型８８で支持した状態で、両磁気検出部材４４を樹脂でインサート成形を行う（図９参照）。したがって、両磁気検出部材４４を樹脂（溶融樹脂）でインサート成形する際に、両磁気検出部材４４の演算部４７の厚さ方向に加わる樹脂（溶融樹脂）の流動によるストレスに起因する両磁気検出部材４４の位置ずれを防止し、その位置精度の低下を防止することができる。ひいては、回転角検出装置４０の磁気検出特性の低下を防止することができる。
【００４０】
また、金型６０のキャビティ７０内に射出された樹脂（溶融樹脂）が固化する前に、両磁気検出部材４４の演算部４７を支持する支持型８８をコアバックさせることで、支持型８８による空洞部９０が形成され（図１２参照）、その空洞部９０に樹脂（溶融樹脂）が流入する。これによって、支持型８８で支持されていた両磁気検出部材４４の演算部４７の内側面を樹脂５２ａで覆うことができる（図６参照）。
【００４１】
また、金型６０内に樹脂（溶融樹脂）を射出するに際し、樹脂（溶融樹脂）が両磁気検出部材４４のセンシング部４５から離れた位置のゲート６８から両磁気検出部材４４の演算部４７の長手方向に沿って充填される（図９参照）。したがって、樹脂（溶融樹脂）の流動によって両磁気検出部材４４のセンシング部４５に加わるストレスを低減することができる。さらに、樹脂（溶融樹脂）が両磁気検出部材４４の演算部４７の長手方向に沿って充填されることで、樹脂（溶融樹脂）の流動によって両磁気検出部材４４の演算部４７の厚さ方向に加わるストレスを低減することができる。
【００４２】
また、樹脂（樹脂モールド部５２）として、成形樹脂材料に発泡剤が添加されてなる発泡樹脂（化学発泡樹脂）を用いることによって、樹脂（溶融樹脂）の流動圧を下げることができ、両磁気検出部材４４のセンシング部４５及び演算部４７に加わるストレスを低減することができる。また、成形樹脂材料に発泡剤が添加されてなる発泡樹脂（化学発泡樹脂）を用いることによって、一般的な射出成形機を用いて、磁気検出部材４４をモールドする発泡樹脂（樹脂モールド部５２）を射出成形することができる。
【００４３】
また、両磁気検出部材４４のセンシング部４５を金型６０の位置決め部６６で支持した状態でインサート成形を行う（図９参照）。したがって、両磁気検出部材４４のセンシング部４５の位置精度を向上し、検出精度を向上することができる。
【００４４】
前記した回転角検出装置４０（図４〜図６参照）によると、両磁気検出部材４４が発泡樹脂（樹脂モールド部５２）でモールドされたものである。したがって、断熱性に優れている発泡樹脂により、両磁気検出部材４４を温度変化等から良好に保護することができる。
【００４５】
また、センサカバー３０のカバー本体３１（図３参照）が、回転角検出装置４０の樹脂モールド部（発泡樹脂）５２における成形樹脂材料と同じ樹脂材料で形成されている。したがって、樹脂モールド部５２とカバー本体３１との基本的特性を同一化することができる。
【００４６】
［実施例１の変更例１］
図１３は金型を示す断面図、図１４は支持型のコアバック状態を示す断面図である。
図１３に示すように、本変更例は、前記実施例１（図１０参照）における磁気検出部材４４のリード端子４８が、直線状とされている。リード端子４８の先端部の内側には、取付ターミナル４９の基端部が溶接等により接続されている。取付ターミナル４９の基端部の内側面は、磁気検出部材４４の演算部４７の内側面と同一平面をなしている。また、上型６４の両支持型８８は、下動位置において両磁気検出部材４４の演算部４７の内側面、及び、取付ターミナル４９の基端部の内側面に面接触状に当接されている。これによって、両磁気検出部材４４の演算部４７及び取付ターミナル４９の基端部の内側面を支持するようになっている。
【００４７】
本変更例によると、両磁気検出部材４４のリード端子４８に連結された取付ターミナル４９を金型６０の両支持型８８で支持した状態でインサート成形を行う（図１３参照）。したがって、取付ターミナル４９の位置精度を向上することができる。
【００４８】
また、コアバックされた支持型８８により、取付ターミナル４９の基端部におけるリード端子４８側の端部を除いた残りの部分の内側面を支持することができる（図１４参照）。また、上型６４の支持型８８のコアバックにより、取付ターミナル４９の基端部におけるリード端子４８側の端部が空洞部９０に露出される。したがって、空洞部９０に樹脂（溶融樹脂）が流入する。これによって、磁気検出部材４４のリード端子４８と取付ターミナル４９の基端部との連結部を樹脂で覆うことができる。
【００４９】
［実施例１の変更例２］
図１５は金型を示す断面図、図１６は支持型のコアバック状態を示す断面図である。
図１５及び図１６に示すように、本変更例は、前記実施例１（図１０参照）におけるＬ型の取付ターミナル４９の基端部が省略された短冊型の取付ターミナル（符号、９２を付す）を使用するものである。このため、実施例１（図１０参照）における磁気検出部材４４の各リード端子４８が、直線状とされており、その先端部が外側方へＬ字状に折り曲げられている。各リード端子４８の先端部の後側（図１５において上側）には、取付ターミナル９２の内端部が溶接等により接続されている。
【００５０】
［実施例２］
本発明の実施例２を説明する。本実施例は、前記実施例１に変更を加えたものであるから、その変更部分について説明し、重複する説明は省略する。なお、図１７は金型を示す断面図、図１８は支持型のコアバック状態を示す断面図、図１９は回転角検出装置を示す正面図、図２０は同じく平断面図である。
図１７に示すように、本実施例は、前記実施例１（図１２参照）における金型６０の下型６２に、成形凹部６３の左右両側面に面接触する角棒状の左右一対の支持型（「第２支持型」という）９４を備えている。なお、前記支持型８８は第１支持型という。
【００５１】
前記両第２支持型９４は、金型６０の開閉方向すなわち上下方向に伸びており、かつ、上下方向に移動可能に構成されている。両第２支持型９４は、上動位置では先端面（上端面）が磁気検出部材４４の演算部４７の後端部付近に位置される（図１７参照）。また、両第２支持型９４は、下動位置では先端面（上端面）が前側のセンシング部４５付近に位置される（図１８参照）。両第２支持型９４は、成形開始時において上動位置（進出位置）に進出され、樹脂の射出完了後で固化する前において下動位置（後退位置）に後退すなわちコアバックされるようになっている。
【００５２】
前記金型６０の型締め状態（図１７参照）において、下型６２の両第２支持型９４は上動位置にあって、両第２支持型９４の内側面が両磁気検出部材４４の演算部４７の外側面にそれぞれ面接触状に当接されている。これによって、両磁気検出部材４４の演算部４７の厚さ方向（図１７において左右方向）の一側面すなわち外側面が両第２支持型９４によってそれぞれ支持される。
【００５３】
また、図１８に示すように、前記キャビティ７０内に対する樹脂の射出完了後において、金型６０内に射出された樹脂が固化する前に、両第２支持型９４が下動位置にコアバック（後退）される。この両第２支持型９４のコアバックにより空洞部９６が形成され、その空洞部９６に樹脂（溶融樹脂）が流入する。これによって、両第２支持型９４で支持された両磁気検出部材４４の演算部４７の外側面が樹脂で覆われることになる（図２０参照）。なお、図２０において、両磁気検出部材４４の演算部４７の外側面を覆う樹脂部に符号、５２ｂが付されている。また、両第２支持型９４のコアバック後において、両第２支持型９４の先端部（上端部）によって樹脂モールド部５２の先端部の左右両隅角部に凹溝部９８が形成される（図１９及び図２０参照）。
【００５４】
前記した回転角検出装置４０の製造方法すなわち樹脂モールド部５２の成形方法によると、両磁気検出部材４４の演算部４７の厚さ方向の両側面（内側面及び外側面）を金型６０の両第１支持型８８及び両第２支持型９４で支持した状態でインサート成形を行う（図１７参照）。したがって、両磁気検出部材４４を樹脂（溶融樹脂）でインサート成形する際に、両磁気検出部材４４の演算部４７の厚さ方向に加わる樹脂（溶融樹脂）の流動によるストレスに起因する両磁気検出部材４４の位置ずれを防止することができる。
【００５５】
また、金型６０のキャビティ７０内に射出された樹脂（溶融樹脂）が固化する前に、両磁気検出部材４４の演算部４７を支持する第２支持型９４をコアバックさせることで、第２支持型９４による空洞部９６が形成され（図１８参照）、その空洞部９６に樹脂（溶融樹脂）が流入する。これによって、第２支持型９４で支持されていた両磁気検出部材４４の演算部４７の外側面を樹脂５２ｂで覆うことができる（図２０参照）。
【００５６】
［実施例２の変更例１］
図２１は金型を示す断面図、図２２は支持型のコアバック状態を示す断面図である。
図２１及び図２２に示すように、本変更例は、前記実施例１の変更例１（図１３及び図１４参照）と同様に、前記実施例２（図１７及び図１８参照）における磁気検出部材４４の各リード端子４８が直線状とされ、そのリード端子４８の先端部に取付ターミナル４９が溶接等により接続されたものである。その他の構成は、前記実施例１の変更例１と同様であるから、その説明を省略する。
【００５７】
［実施例２の変更例２］
図２３は金型を示す断面図、図２４は支持型のコアバック状態を示す断面図である。
図２３及び図２４に示すように、本変更例は、前記実施例１の変更例２（図１５及び図１６参照）と同様に、前記実施例２（図１７及び図１８参照）における磁気検出部材４４の各リード端子４８が直線状とされ、そのリード端子４８の外方へＬ字状に折り曲げられた先端部に短冊型の取付ターミナル９２が溶接等により接続されたものである。その他の構成は、前記実施例１の変更例２と同様であるから、その説明を省略する。
【００５８】
本発明は上記した実施例に限定されるものではなく、本発明の要旨を逸脱しない範囲における変更が可能である。例えば、前記実施例では、スロットル制御装置１０のスロットルバルブ１８の開度を検出する回転角検出装置４０を例示したが、スロットル制御装置１０以外の種々の回転側部材の回転角を検出する回転角検出装置としても本発明を適用することができる。また、前記実施例では、電子制御式のスロットル制御装置１０を例示したが、アクセルペダルの操作によりリンク、ケーブル等を介してスロットルバルブ１８を機械的に開閉する機械式のスロットル制御装置にも本発明を適用することができる。また、前記実施例では、磁気検出部材４４としてセンサＩＣを使用する例を示したが、磁気検出部材としてホール素子、ホールＩＣ等を使用することも可能である。また、前記実施例の磁気検出部材４４は、一対の永久磁石４１の間の磁界の方向に基づいてスロットルギヤ２２の回転角を検出するものであるが、一対の永久磁石４１の間の磁界の強さに基づいてスロットルギヤ２２の回転角を検出するものでもよい。また、磁気検出部材４４をモールドする樹脂（樹脂モールド部５２）は発泡樹脂に限定されるものではない。また、金型６０における上型６４の凸部６５に、前記実施例２（図１７参照）における両第１支持型８８を固定的に設けたり、両第１支持型８８に相当する支持部を一体形成したりすることが可能である。
【符号の説明】
【００５９】
１０…スロットル制御装置
１２…スロットルボデー
１３…ボア（吸気通路）
１８…スロットルバルブ
２２…スロットルギヤ（回転側部材）
３０…センサカバー
３１…カバー本体
４０…回転角検出装置
４４…磁気検出部材
４５…センシング部
４７…演算部
４８…リード端子
４９…取付ターミナル
５２…樹脂モールド部（発泡樹脂）
６０…金型
８８…第１支持型
９４…第２支持型
【図１】
2011102769.tif 000003
【図２】
2011102769.tif 000004
【図３】
2011102769.tif 000005
【図４】
2011102769.tif 000006
【図５】
2011102769.tif 000007
【図６】
2011102769.tif 000008
【図７】
2011102769.tif 000009
【図８】
2011102769.tif 000010
【図９】
2011102769.tif 000011
【図１０】
2011102769.tif 000012
【図１１】
2011102769.tif 000013
【図１２】
2011102769.tif 000014
【図１３】
2011102769.tif 000015
【図１４】
2011102769.tif 000016
【図１５】
2011102769.tif 000017
【図１６】
2011102769.tif 000018
【図１７】
2011102769.tif 000019
【図１８】
2011102769.tif 000020
【図１９】
2011102769.tif 000021
【図２０】
2011102769.tif 000022
【図２１】
2011102769.tif 000023
【図２２】
2011102769.tif 000024
【図２３】
2011102769.tif 000025
【図２４】
2011102769.tif 000026
【図２５】
2011102769.tif 000027